(57)【要約】      （修正有）【課題】輝度を向上させると共に、階調表現が可能な電気泳動表示装置およびその製造方法を提供する。【解決手段】表示装置は、泳動粒子３２と、繊維状構造体により形成されると共に、複数の色に着色された多孔質層３３とを備える。泳動粒子は、互いに光反射特性の異なる複数種類からなり、それぞれ帯電すると共に、互いに異なる電荷を有する。多孔質層は、赤色、緑色および青色に着色されている。【選択図】図１
2016206412.tif 000002
【特許請求の範囲】
【請求項１】
泳動粒子と、
繊維状構造体により形成されると共に、複数の色に着色された多孔質層と
を備えた表示装置。
【請求項２】
前記泳動粒子は、互いに光反射特性の異なる複数種類からなる、請求項１に記載の表示装置。
【請求項３】
前記複数種類の泳動粒子は、それぞれ帯電すると共に、互いに異なる電荷を有する、請求項１に記載の表示装置。
【請求項４】
前記多孔質層は、赤色、緑色および青色に着色されている、請求項１に記載の表示装置。
【請求項５】
前記複数種類の泳動粒子は、黒色または白色を呈する、請求項１に記載の表示装置。
【請求項６】
それぞれ、少なくとも赤色画素、緑色画素および青色画素を含む複数の画素を有し、
前記画素には、それぞれ独立した複数の画素電極が設けられている、請求項１に記載の表示装置。
【請求項７】
前記画素に設けられた前記複数の画素電極の数は、前記泳動粒子の種類と同数である、請求項６に記載の表示装置。
【請求項８】
赤色、緑色および青色に着色された前記多孔質層は、それぞれ対応する赤色画素、緑色画素および青色画素に配設されている、請求項６に記載の表示装置。
【請求項９】
前記繊維状構造体は静電紡糸法により形成されている、請求項１に記載の表示装置。
【請求項１０】
前記泳動粒子および前記非泳動粒子は、有機顔料，無機顔料，染料，炭素材料，金属材料，金属酸化物，ガラスおよび高分子材料のうちの少なくともいずれか１つにより構成されている、請求項１に記載の表示装置。
【請求項１１】
前記繊維状構造体はアクリル樹脂からなる、請求項１に記載の表示装置。
【請求項１２】
前記絶縁性液体中に、前記泳動粒子を分散させる分散剤を含有する、請求項１に記載の表示装置。
【請求項１３】
泳動粒子を形成する工程と、
多孔質層を構成する繊維状構造体を形成する工程と、
前記繊維状構造体を複数の色に染色する工程と
を含む表示装置の製造方法。
【発明の詳細な説明】
【技術分野】
【０００１】
本開示は、電気泳動現象を利用して画像表示を行う表示装置およびその製造方法に関する。
【背景技術】
【０００２】
近年、携帯電話機または携帯情報端末機器（ＰＤＡ）等の多様な電子機器の普及に伴い、低消費電力で高品位画質の表示装置に関する需要が高まっている。中でも、最近では、電子書籍の配信事業の誕生に伴い、文字情報を長時間読むことを目的とした読書用途の電子書籍端末が注目されているため、その用途に適した表示品位を有する表示装置が望まれている。読書用途としては、コレステリック液晶型、電気泳動型、電気酸化還元型またはツイストボール型等の表示装置が提案されているが、中でも、反射型に分類される表示装置が好ましい。紙と同様に外光の反射（散乱）を利用して明表示するため、紙に近い表示品位が得られるからである。また、バックライトが不要であるため、消費電力が抑えられるからである。
【０００３】
反射型の表示装置の有力候補としては、電気泳動現象を利用して明暗（コントラスト）を生じさせる電気泳動型の表示装置が挙げられる。電気泳動型の表示装置の表示方法については様々な検討がなされている。具体的には、絶縁性液体中に光学的反射特性および極性が異なる２種類の荷電粒子を分散させて、その極性の違いを利用して各荷電粒子を移動させる方法が提案されている。この方法では、電界応じて２種類の荷電粒子の分布が変化するため、光学的反射特性の違いを利用してコントラストが生じる。
【０００４】
電気泳動型の表示装置では、上記のように反射光のコントラストを利用して表示を行うため、基本的にモノクロ（モノクローム）表示となるが、例えば、特許文献１では、カラーフィルタを組み合わせることによってカラー表示を行う表示装置が開示されている。
【先行技術文献】
【特許文献】
【０００５】
【特許文献１】特開２０１２−５３１８４号公報
【特許文献２】特開２０１１―１００１５５号公報
【０００６】
しかしながら、このような表示装置では、カラーフィルタの色を表示色とする場合には、カラーフィルタが設けられていない部分を黒表示とする必要がある。また、反射光はカラーフィルタを介して表示面側に射出されるため、反射光の一部がカラーフィルタによって吸収されてしまう。このため、面積階調でカラー表現を行う反射型の表示装置においては、輝度が大幅に低下するという問題があった。
【０００７】
一方、特許文献２では、カラーフィルタを用いずに、画素を構成する副画素（サブピクセル）ごとに異なる色の粒子を含むカプセルを用いてカラー表示を行う反射ディスプレイが開示されているが、この反射ディスプレイでは、隣接する副画素間において混色が生じるという問題があった。また、このような方式では副画素毎に異なる粒子を格納することが容易ではないため、製造コストが上昇するという問題があった。
【発明の概要】
【発明が解決しようとする課題】
【０００８】
本開示はかかる問題点に鑑みてなされたもので、その目的は、輝度を向上させると共に、階調表現が可能な表示装置およびその製造方法を提供することにある。
【課題を解決するための手段】
【０００９】
本開示の表示装置は、泳動粒子と、繊維状構造体により形成されると共に、複数の色に着色された多孔質層とを備えたものである。
【００１０】
本開示の表示装置の製造方法は、泳動粒子を形成する工程と、多孔質層を構成する繊維状構造体を形成する工程と、繊維状構造体を複数の色に染色する工程とを含むものである。
【００１１】
本開示の表示装置およびその製造方法では、泳動粒子と、繊維状構造体により形成されると共に、複数の色に着色された多孔質層とを用いることにより、カラーフィルタを用いることなく、複数の色を表示することが可能となる。
【発明の効果】
【００１２】
本開示の表示装置およびその製造方法によれば、泳動粒子と、繊維状構造体により形成されると共に、複数の色に着色された多孔質層とを用いるようにした。これにより、カラーフィルタを用いることなく多色表示が可能となり、高輝度な表示装置を実現することができる。また、表示面側における泳動粒子の濃度を調整することにより、階調表現が可能となる。なお、ここに記載された効果は必ずしも限定されるものではなく、本開示中に記載されたいずれの効果であってもよい。
【図面の簡単な説明】
【００１３】
【図１】本開示の一実施の形態に係る表示装置の構成を表す断面図である。
【図２】図１に示した表示装置に用いた電気泳動素子の模式図である。
【図３】図１に示した表示装置の製造工程の一部を説明する流れ図である。
【図４Ａ】図１に示した表示装置の工程の一部を説明する模式図である。
【図４Ｂ】図４Ａに続く表示装置の工程を説明する模式図である。
【図４Ｃ】図４Ｂに続く表示装置の工程を説明する模式図である。
【図４Ｄ】図４Ｃに続く表示装置の工程を説明する模式図である。
【図５Ａ】図１に示した表示装置の動作を説明する模式図である。
【図５Ｂ】図１に示した表示装置の動作を説明する模式図である。
【図５Ｃ】図１に示した表示装置の動作を説明する模式図である。
【図６】図１に示した表示装置の階調表現の一例をまとめたものである。
【図７Ａ】本開示の表示装置を用いた電子ブックの外観を表す斜視図である。
【図７Ｂ】図７Ａに示した電子ブックの他の例を表す斜視図である。
【図８】本開示の表示装置を用いたタブレットパーソナルコンピュータの外観を表す斜視図である。
【発明を実施するための形態】
【００１４】
以下、本開示における実施形態について、図面を参照して詳細に説明する。なお、説明する順序は、下記の通りである。
１．実施の形態（複数の色に着色された多孔質層を用いた表示装置）
１−１．電気泳動素子の構成
１−２．表示装置の構成
１−３．表示装置の製造方法
１−４．表示装置の好ましい表示方法
１−５．作用・効果
２．適用例（電子機器）
【００１５】
＜１．実施の形態＞
図１は、本開示の一実施の形態の表示装置（表示装置１）の断面構成を表したものである。表示装置１は、電気泳動現象を利用してコントラストを生じさせ、画像を表示する表示装置、例えば電子ペーパーディスプレイ等の多様な電子機器に適用されるものである。この表示装置１は、例えば、スペーサ４０を介して対向配置された駆動基板１０と対向基板２０との間に、表示層として電気泳動素子３０を備えたものである。図２は、表示装置１の表示層の平面構成、即ち、電気泳動素子３０の平面構成を模式的に表したものである。電気泳動素子３０は、絶縁性液体３１中に、泳動粒子３２と多孔質層３３とを含んでいる。なお、図１，２は電気泳動素子３０の構成を模式的に表したものであり、実際の寸法、形状とは異なる場合がある。
【００１６】
（１−１．電気泳動素子の構成）
表示装置１は、複数の画素２を有し、各画素２は、例えば、副画素として、赤色画素２Ｒ，緑色画素２Ｇおよび青色画素２Ｂを有する。各画素には、それぞれ電気泳動素子３０が設けられている。本実施の形態の電気泳動素子３０は、泳動粒子３２として、例えば、光反射性の異なる２種類の泳動粒子３２Ａ，３２Ｂを備えると共に、多孔質層３３が、例えば、赤色（３３Ｒ），緑色（３３Ｇ），青色（３３Ｂ）に着色された構成を有する。多孔質層３３の赤色，緑色および青色に着色された領域（３３Ｒ，３３Ｇ，３３Ｂ）は、それぞれ、各副画素（２Ｒ，２Ｇ，２Ｂ）に対応する位置に配置されている。
【００１７】
絶縁性液体３１は、例えば、有機溶媒等の非水溶媒のいずれか１種類または２種類以上であり、具体的には、パラフィンまたはイソパラフィン等を含んで構成されている。この絶縁性液体３１の粘度および屈折率は、出来るだけ低いことが好ましい。泳動粒子３２の移動性（応答速度）が向上すると共に、それに応じて泳動粒子３２の移動に要するエネルギー（消費電力）が低くなるからである。また、絶縁性液体３１の屈折率と多孔質層３３の屈折率との差が大きくなるため、その多孔質層３３の光反射率が高くなるからである。なお、絶縁性液体３１の代わりに、微弱導電性液体を用いてもよい。
【００１８】
なお、絶縁性液体３１は、必要に応じて各種材料を含んでいてもよい。この材料は、例えば、着色剤、電荷制御剤、分散安定剤、粘度調整剤、界面活性剤または樹脂等である。
【００１９】
泳動粒子３２は、電気的に移動可能な１または２以上の荷電粒子であり、絶縁性液体３１中に分散されている。この泳動粒子３２は、絶縁性液体３１中で画素電極１４と対向電極２２との間を移動可能になっている。泳動粒子３２は、また、任意の光学的反射特性（光反射率）を有している。泳動粒子３２の光反射率は、特に限定されないが、少なくとも泳動粒子３２が多孔質層３３を遮蔽可能となるように設定されることが好ましい。泳動粒子３２の光反射率と多孔質層３３の光反射率との違いを利用してコントラストを生じさせるためである。
【００２０】
本実施の形態では、上記のように、泳動粒子３２は、互いに光反射性の異なる２種類の泳動粒子３２Ａ，３２Ｂから構成されている。具体的には、泳動粒子３２Ａは黒色に、泳動粒子３２Ｂは白色に着色されている。これら泳動粒子３２Ａおよび泳動粒子３２Ｂが適宜表示面Ｓ１に移動することによって、表示装置１の各画素２は、黒表示、白表示あるいはその他の色表示が可能となる。
【００２１】
泳動粒子３２は、例えば、有機顔料、無機顔料、染料、炭素材料、金属材料、金属酸化物、ガラスまたは高分子材料（樹脂）等のいずれか１種類または２種類以上の粒子（粉末）である。なお、泳動粒子３２は、上記した粒子を含む樹脂固形分の粉砕粒子またはカプセル粒子等でもよい。但し、炭素材料、金属材料、金属酸化物、ガラスまたは高分子材料に該当する材料は、有機顔料、無機顔料または染料に該当する材料から除かれることとする。
【００２２】
有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料等である。無機顔料は、例えば、亜鉛華、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイト等である。染料は、例えば、ニグロシン系染料、アゾ系染料、フタロシアニン系染料、キノフタロン系染料、アントラキノン系染料またはメチン系染料等である。炭素材料は、例えば、カーボンブラック等である。金属材料は、例えば、金、銀または銅等である。金属酸化物は、例えば、酸化チタン、酸化亜鉛、酸化ジルコニウム、チタン酸バリウム、チタン酸カリウム、銅−クロム酸化物、銅−マンガン酸化物、銅−鉄−マンガン酸化物、銅−クロム−マンガン酸化物または銅−鉄−クロム酸化物等である。高分子材料は、例えば、可視光領域に光吸収域を有する官能基が導入された高分子化合物等である。このように可視光領域に光吸収域を有する高分子化合物であれば、その種類は特に限定されない。
【００２３】
泳動粒子３２の具体的な形成材料は、例えば、コントラストを生じさせるために泳動粒子３２が担う役割に応じて選択される。例えば、黒表示を行う泳動粒子３２Ａは、例えば、炭素材料または金属酸化物等である。炭素材料は、例えば、カーボンブラック等であり、金属酸化物は、例えば、銅−クロム酸化物、銅−マンガン酸化物、銅−鉄−マンガン酸化物、銅−クロム−マンガン酸化物または銅−鉄−クロム酸化物等である。中でも、炭素材料が好ましい。優れた化学的安定性、移動性および光吸収性が得られるからである。白表示を行う泳動粒子３２Ｂは、例えば、酸化チタン、酸化亜鉛、酸化ジルコニウム、チタン酸バリウムまたはチタン酸カリウム等の金属酸化物であり、中でも、酸化チタンが好ましい。電気化学的安定性および分散性等に優れていると共に、高い反射率が得られるからである。
【００２４】
絶縁性液体３１中における泳動粒子３２の含有量（濃度）は、特に限定されないが、泳動粒子３２全体では、例えば、０．１重量％〜１０重量％である。泳動粒子３２の遮蔽（隠蔽）性および移動性が確保されるからである。この場合には、０．１重量％よりも少ないと、泳動粒子３２が多孔質層３３を遮蔽しにくくなる可能性がある。一方、１０重量％よりも多いと、泳動粒子３２の分散性が低下するため、泳動粒子３２が泳動しにくくなり、場合によっては凝集する可能性がある。
【００２５】
泳動粒子３２の平均粒径は、例えば、０．１μｍ以上１０μｍ以下の範囲であることが好ましい。なお、泳動粒子３２Ａおよび泳動粒子３２Ｂの平均粒径は、それぞれ同じ大きさでもよいが、異なっていてもよい。
【００２６】
泳動粒子３２Ａ，３２Ｂは、帯電していると共に、互いに異なる電荷を有することが好ましい。帯電量の差は、例えば、表面処理を行うことによって付加することができる。具体的には、例えば、泳動粒子３２Ａが正の電荷を有する場合には、例えば、電子供与性を有する官能基による修飾を行うことで正電荷が付加される。例えば、泳動粒子３２Ｂが負の電荷を有する場合には、例えば、電子吸引性を有する官能基による修飾を行うことで負電荷が付加される。なお、泳動粒子３２Ａ，３２Ｂは、互いに同じ電荷を有していてもよく、その場合には、帯電量が異なることが好ましい。その場合、泳動粒子３２Ａ，３２Ｂの表面を修飾する官能基は、互いに同じ官能基でもよいし、異なる官能基を導入しても構わない。また、表面処理の代わりに電荷調整剤等の分散剤を用いたり、両者を併用してもよい。
【００２７】
分散剤は、例えばLubrizol社製のSolsperseシリーズ、BYK-Chemie社製のBYK シリーズまたはAnti-Terra シリーズ、あるいはICI Americas 社製Spanシリーズ等である。
【００２８】
表面処理は、例えば、ロジン処理、界面活性剤処理、顔料誘導体処理、カップリング剤処理、グラフト重合処理またはマイクロカプセル化処理等である。中でも、グラフト重合処理、マイクロカプセル化処理またはそれらの組み合わせが好ましい。長期間の分散安定性等が得られるからである。
【００２９】
表面処理用の材料は、例えば、泳動粒子３２の表面に吸着可能な官能基と重合性官能基とを有する材料（吸着材料）等である。吸着可能な官能基の種類は、泳動粒子３２の形成材料に応じて決定される。一例を挙げると、カーボンブラック等の炭素材料に対しては４−ビニルアニリン等のアニリン誘導体であり、金属酸化物に対してはメタクリル酸３−（トリメトキシシリル）プロピル等のオルガノシラン誘導体である。重合性官能基は、例えば、ビニル基、アクリル基、メタクリル基等である。
【００３０】
また、表面処理用の材料は、例えば、重合性官能基が導入された泳動粒子３２の表面にグラフト可能な材料（グラフト性材料）である。このグラフト性材料は、重合性官能基と、絶縁性液体３１中に分散可能であると共に、立体障害により分散性を保持可能な分散用官能基とを有していることが好ましい。重合性官能基の種類は、吸着性材料について説明した場合と同様である。分散用官能基は、例えば、絶縁性液体３１がパラフィンである場合には分岐状のアルキル基等である。グラフト性材料を重合およびグラフトさせるためには、例えばアゾビスイソブチロニトリル（ＡＩＢＮ）等の重合開始剤を用いればよい。
【００３１】
参考までに、上記したように絶縁性液体３１中に泳動粒子３２を分散させる方法の詳細については、「超微粒子の分散技術とその評価〜表面処理・微粉砕と気中／液中／高分子中の分散安定化〜（サイエンス＆テクノロジー社）」等の書籍に掲載されている。
【００３２】
多孔質層３３は、例えば、図２に示したように、繊維状構造体３３１により形成された３次元立体構造物（不織布のような不規則なネットワーク構造物）である。この多孔質層３３は、繊維状構造体３３１が存在していない箇所に、泳動粒子３２Ａ，３２Ｂが通過するための複数の隙間（細孔３３２）を有している。
【００３３】
３次元立体構造物である多孔質層３３では、１本の繊維状構造体３３１がランダムに絡み合っていてもよいし、複数本の繊維状構造体３３１が集合してランダムに重なっていてもよいし、両者が混在していてもよい。なお、図２では、複数本の繊維状構造体３３１により多孔質層３３が形成されている場合を示している。また、繊維状構造体３３１は、繊維径（直径）に対して長さが十分に大きい繊維状物質である。
【００３４】
多孔質層３３が３次元立体構造物であるのは、その不規則な立体構造により外光が乱反射（多重散乱）されやすいため、多孔質層３３の光反射率が高くなると共に、その高い光反射率を得るために多孔質層３３が薄くて済むからである。これにより、コントラストが高くなると共に、泳動粒子３２Ａ，３２Ｂを移動させるために必要なエネルギーが低くなる。また、細孔３３２の平均孔径が大きくなると共に、その数が多くなるため、泳動粒子３２が細孔３３２を通過しやすくなるからである。これにより、泳動粒子３２の移動に要する時間が短くなると共に、その泳動粒子３２の移動に要するエネルギーも低くなる。
【００３５】
繊維状構造体３３１の形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体３３１の形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法等であることが好ましい。繊維径に対して長さが十分に大きい繊維状物質を容易且つ安定に形成しやすいからである。
【００３６】
繊維状構造体３３１の平均繊維径は、特に限定されないが、できるだけ小さいことが好ましい。光が乱反射しやすくなると共に、細孔３３２の平均孔径が大きくなるからである。このため、繊維状構造体３３１の平均繊維径は、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）等を用いた顕微鏡観察により測定される。なお、繊維状構造体３３１の平均長さは、任意でよい。
【００３７】
細孔３３２の平均孔径は、特に限定されないが、中でも、できるだけ大きいことが好ましい。泳動粒子３２Ａ，３２Ｂが細孔３３２を通過しやすくなるからである。このため、細孔３３２の平均孔径は、０．１μｍ〜１０μｍであることが好ましい。
【００３８】
多孔質層３３の厚さは、特に限定されないが、例えば、５μｍ〜１００μｍである。多孔質層３３の遮蔽性が高くなると共に、泳動粒子３２，３２Ｂが細孔３３２を通過しやすくなるからである。
【００３９】
繊維状構造体３３１を構成する材料としては、例えば、アクリル樹脂等の高分子材料または無機材料等のいずれか１種類または２種類以上を含んでおり、他の材料を含んでいてもよい。高分子材料は、具体的には、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマー等である。無機材料は、例えば、酸化チタン等である。中でも、繊維状構造体３３１の形成材料としては、高分子材料が好ましい。反応性（光反応性等）が低い（化学的に安定である）ため、繊維状構造体３３１の意図しない分解反応が抑制されるからである。なお、繊維状構造体３３１が高反応性の材料により形成されている場合には、その繊維状構造体３３１の表面は任意の保護層により被覆されていることが好ましい。
【００４０】
特に、繊維状構造体３３１は、ナノファイバーであることが好ましい。立体構造が複雑化して外光が乱反射しやすくなるため、多孔質層３３の光反射率がより高くなると共に、多孔質層３３の単位体積中に占める細孔３３２の体積の割合が大きくなるため、泳動粒子３２が細孔３３２を通過しやすくなるからである。これにより、コントラストがより高くなると共に、泳動粒子３２の移動に要するエネルギーがより低くなる。ナノファイバーとは、繊維径が０．００１μｍ〜０．１μｍであると共に、長さが繊維径の１００倍以上である繊維状物質である。ナノファイバーである繊維状構造体３３１は、高分子材料を用いて静電紡糸法により形成されていることが好ましい。繊維径が小さい繊維状構造体３３１を容易且つ安定に形成しやすいからである。
【００４１】
この繊維状構造体３３１は、泳動粒子３２とは異なる光学的反射特性を有していることが好ましい。具体的には、繊維状構造体３３１の光反射率は、特に限定されないが、少なくとも多孔質層３３が全体として泳動粒子３２を遮蔽可能となるように設定されることが好ましい。上記したように、泳動粒子３２の光反射率と多孔質層３３の光反射率との違いを利用してコントラストを生じさせるためである。
【００４２】
本実施の形態では、多孔質層３３は、赤色（３３Ｒ），緑色（３３Ｇ），青色（３３Ｂ）に着色されており、上記色に着色された赤色多孔質層３３Ｒ，緑色多孔質層３３Ｇおよび青色多孔質層３３Ｂは、それぞれ各副画素、赤色画素２Ｒ，緑色画素２Ｇおよび青色画素２Ｂに対応する位置に配置されている。
【００４３】
スペーサ４０は、例えば、高分子材料等の絶縁性材料を含んでいる。但し、スペーサ４０の構成は、特に限定されず、微粒子が混入されたシール材等でもよい。スペーサ４０の形状は、特に限定されないが、泳動粒子３２の画素電極１４および対向電極２２間の移動を妨げないと共に、それを均一分布させることができる形状であることが好ましく、例えば、格子状である。また、後述する製造工程の関係から、例えば、駆動基板１０側から対向基板２０側にかけて逆テーパ形状であることが好ましい。スペーサ４０の厚みは、特に限定されないが、中でも、消費電力を低くするためにできるだけ薄いことが好ましく、例えば、１０μｍ〜１００μｍである。スペーサ４０の形成位置は、表示層内において適当な位置に設ければよく、必ずしも、画素２の間、あるいは、副画素２Ｒ，２Ｇ，２Ｂの間を仕切るように設ける必要はない。例えば、図１に示したように、緑色画素２Ｇの区画内に設けてもよい。但し、スペーサ４０の駆動基板１０側の先端は、後述する画素電極１４が形成されていない位置に設けられていることが好ましい。
【００４４】
（１−２．表示装置の構成）
表示装置１は、上記のように、スペーサ４０を介して一対の基板、駆動基板１０と対向基板２０とが対向配置されており、その間に表示層として、電気泳動素子３０を備えたものである。なお、表示装置１の周縁は、封止材４２によって封止されている。
【００４５】
駆動基板１０は、例えば、支持部材１１の一面に、薄膜トランジスタ（ＴＦＴ）１２、保護膜１３および画素電極１４がこの順に積層されたものである。ＴＦＴ１２および画素電極１４は、例えば、アクティブマトリクス方式の駆動回路を構築するために、画素配置に応じてマトリクス状に分割形成されている。
【００４６】
支持部材１１は、例えば、無機材料、金属材料またはプラスチック材料等のいずれか１種類または２種類以上により形成されている。無機材料は、例えば、ケイ素（Ｓｉ）、酸化ケイ素（ＳｉＯx）、窒化ケイ素（ＳｉＮx）または酸化アルミニウム（ＡｌＯx）等であり、その酸化ケイ素には、例えば、ガラスまたはスピンオングラス（ＳＯＧ）等が含まれる。金属材料は、例えば、アルミニウム（Ａｌ）、ニッケル（Ｎｉ）またはステンレス等である。プラスチック材料は、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、シクロオレフィンポリマー（ＣＯＰ）、ポリイミド（ＰＩ）またはポリエーテルサルフォン（ＰＥＳ）等である。
【００４７】
この支持部材１１は、光透過性であってもよいし、非光透過性であってもよい。また、支持部材１１は、ウェハ等の剛性を有する基板であってもよいし、可撓性を有する薄層ガラスまたはフィルム等であってもよい。但し、フレキシブル（折り曲げ可能）な電子ペーパーディスプレイを実現できることから、可撓性を有する材料からなることが望ましい。
【００４８】
ＴＦＴ１２は、画素を選択するためのスイッチング用素子である。このＴＦＴ１２は、例えば、チャネル層（活性層）として、アモルファスシリコン、ポリシリコンまたは酸化物等の無機半導体層を用いた無機ＴＦＴでもよいし、ペンタセン等の有機半導体層を用いた有機ＴＦＴでもよい。ＴＦＴ層１２では、このＴＦＴ１２が、例えば保護層１３によって被覆されている。この保護層１３上には、更に、例えば、ポリイミド等の絶縁性材料からなる平坦化絶縁膜（図示せず）が設けられていてもよい。
【００４９】
画素電極１４は、副画素２Ｒ，２Ｇ，２Ｂごとに独立して形成されていると共に、さらに、副画素２Ｒ，２Ｇ，２Ｂ内でも独立する電極として複数設けられている。具体的には、泳動粒子３２の種類と同数、ここでは２つ（画素電極１４Ａ，画素電極１４Ｂ）設けられている。画素電極１４Ａ，１４Ｂは、例えば、金（Ａｕ）、銀（Ａｇ）または銅（Ｃｕ）等の導電性材料のいずれか１種類または２種類以上を含んでいる。この画素電極１４Ａ，１４Ｂは、ＴＦＴ１２に電気的に接続されている。なお、１つの画素電極１４Ａ（あるいは画素電極１４Ｂ）に対して配置されるＴＦＴ１２の数は任意であり、１つに限らず、２つ以上でもよい。
【００５０】
接着層１５は、駆動基板１０と後述する表示層と貼り合わせるものであり、例えば、アクリル系樹脂、ウレタン系樹脂またはゴムにより構成され、厚みが、例えば、１μｍ〜１００μｍである。なお、接着層１５には、導電性を持たせることを目的として、例えばアニオン系添加剤、カチオン系添加剤またはリチウム塩系添加剤等が添加されていてもよい。
【００５１】
なお、駆動基板１０には、上記電気泳動素子３０を副画素２Ｒ，２Ｇ，２Ｂごとに駆動する（画素電極１４および対向電極２２間に駆動電圧を印加する）ための周辺回路（図示せず）が設けられている。周辺回路は、例えば、アクティブマトリクス方式の駆動回路を形成するための電圧制御用のドライバ、電源およびメモリ等を含んでおり、１または２以上の選択的なサブピクセルに対して画像信号に対応する駆動電圧を印加可能となっている。
【００５２】
対向基板２０は、支持部材２１の一面側（表示層側）に対向電極２２が設けられたものである。
【００５３】
支持部材２１は、光透過性であることを除き、支持部材１１と同様の材料により構成されている。対向基板２０の上面側に画像が表示されるため、支持部材２１は光透過性である必要があるからである。この支持部材２１の厚みは、例えば１μｍ〜２５０μｍである。
【００５４】
対向電極２２は、例えば、透光性を有する導電性材料（透明導電材料）のいずれか１種類または２種類以上を含んでいる。このような導電性材料としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）等が挙げられる。この対向電極２２の厚みは、例えば０．００１μｍ〜１μｍである。なお、対向電極２２は、例えば、支持基材２１の一面に全面形成されているが、画素電極１４と同様に、例えば、画素２ごとに分割形成されていてもよい。
【００５５】
対向基板２０側に画像を表示する場合には、対向電極２２を介して電気泳動素子３０を見ることになるため、その対向電極２２の光透過率はできるだけ高いことが好ましく、例えば、８０％以上である。また、対向電極２２の電気抵抗は、できるだけ低いことが好ましく、例えば、１００Ω／□（スクエア）以下である。
【００５６】
表示層には、例えば、画素２ごとに電圧制御される電気泳動素子３０が設けられている。電気泳動素子３０は、電気泳動現象を利用してコントラストを生じさせるものであり、電界に応じて画素電極１４と対向電極２２との間を移動可能な泳動粒子３２を含んでいる。電気泳動素子３０は、例えば、絶縁性液体３１中に泳動粒子３２と共に、多孔質層３３を含んでおり、ここでは、絶縁性液体３１および多孔質層３３は各画素に共通して設けられている。
【００５７】
（１−３．表示装置の製造方法）
本実施の形態の表示装置１は、例えば、以下の方法により形成することができる。まず、図４Ａに示したように、支持部材２１の一面に対向電極２２を、各種成膜法等の既存の方法を用いて設け、対向基板２０を形成すると共に、対向電極２２上にスペーサ４０を形成する。スペーサ４０は、例えば、以下のようなインプリント法により形成することができる。まず、スペーサ４０の構成材料（例えば、感光性樹脂材料）を含む溶液を対向電極２２上に塗布する。次いで、塗布面に凹部を有する型を押し当て、感光させた後、型を外す。これにより、柱状のスペーサ４０が形成される。このとき、スペーサ４０は、幅が対向基板２０側から駆動基板１０側に徐々に狭くなる、いわゆる逆テーパとすることが好ましい。これにより、スペーサ４０から型を容易に外すことができる。
【００５８】
続いて、隣り合うスペーサ４０の間、即ち、セル４１内に繊維状構造体３３１を配設する。繊維状構造体３３１は、例えば、図３に示した製造工程によって形成される。具体的には、まず、例えば、Ｎ，Ｎ’−ジメチルホルムアミドに繊維状構造体３３１としてポリアクリロニトリルを分散または溶解させた高分子溶液（紡糸溶液）を調整する（ステップＳ１０１）。続いて、この紡糸溶液を用いて、例えば、静電紡糸法によって、別の基板上で紡糸する（ステップＳ１０２）。これにより、図４Ｂに示した繊維状構造体３３１が形成される。なお、繊維状構造体３３１は、静電紡糸法に代えて、相分離法、相反転法、溶融紡糸法、湿式紡糸法、乾式紡糸法、ゲル紡糸法、ゾルゲル法およびスプレー塗布法等によって形成してもよい。
【００５９】
また、繊維状構造体３３１の形成方法としては、高分子フィルムにレーザ加工を用いて孔開けを行い、繊維状構造体を形成する方法も提案されているが（特開２００５−１０７１４６号公報参照）、この方法では孔径５０μｍ程度の大きな孔しか形成できず、繊維状構造体により泳動粒子を完全に遮蔽することができない虞がある。
【００６０】
次いで、図４Ｃに示したように、繊維状構造体３３１を、副画素２Ｒ，２Ｇ，２Ｂに対応するように赤色（３３Ｒ），緑色（３３Ｇ）および青色（３３Ｂ）に着色する（ステップＳ１０３）。着色方法は、例えば、スクリーン印刷、インクジェット印刷、昇華熱転写、レーザ染色等が挙げられる。このとき、駆動基板との位置合わせ用のアライメントマークも同時に印刷しておく。続いて、図４Ｄに示したように、着色した繊維状構造体３３１を適当な大きさに分断して各セル４１内に載置する（ステップＳ１０４）。具体的には、繊維状構造体３３１を上（支持部材２１と反対の方向）から押圧することによって、スペーサ４０により繊維状構造体３３１は摺り切られる。この切断された繊維状構造体３３１をスペーサ４０間に収容する。このようにして、多孔質層３３をセル４１毎に形成することができる。
【００６１】
続いて、多孔質層３３が配置された対向基板２０に、泳動粒子３２（３２Ａ，３２Ｂ）を分散させた絶縁性液体３１を塗布したのち、これを、例えば、封止剤（図示せず）を介してシール層１６が配設された剥離部材（図示せず）を対向させる。最後に、剥離部材を剥がしたのち、シール層１６上に粘着層１５を介してＴＦＴ１２および画素電極１４等が形成された駆動基板１０を固定する。この際に、上記アライメントマークを利用して、駆動基板１０上の画素回路の位置合わせを行う。以上の工程により、表示装置１が完成する。
【００６２】
（１−４．表示装置の好ましい表示方法）
電気泳動素子３０では、上記したように、泳動粒子３２の光反射率と、多孔質層３３の光反射率との違いを利用してコントラストが生じる。
【００６３】
本実施の形態では、泳動粒子３２は、黒色を呈する泳動粒子３２Ａおよび白色を呈する泳動粒子３２Ｂから構成され、多孔質層３３は、各副画素、赤色画素２Ｒ，緑色画素２Ｇおよび青色画素２Ｂに対応する赤色３３Ｒ，緑色３３Ｇおよび青色３３Ｂに着色されている。また、泳動粒子３２Ａ，３２Ｂは、それぞれ正電荷（泳動粒子３２Ａ）および負電荷（泳動粒子３２Ｂ）に帯電していると共に、画素電極１４は、各副画素２Ｒ，２Ｇ，２Ｂごとに、それぞれ２つづつ分割形成されている。
【００６４】
図５Ａ〜図５Ｃは、黒色，白色，ＲＧＢのいずれか（ここでは赤色Ｒ）の色表示を行う際の表示装置１の動作を説明するための模式図である。なお、ここでは、わかりやすくするため、駆動基板１０の支持部材１１およびＴＦＴ１２等は省略している。本実施の形態の表示装置１では、図５Ａに示したように、副画素２Ｒ，２Ｇ，２Ｂにそれぞれ設けられた画素電極１４Ａ，１４Ｂの両方に負（マイナス）電位を印加すると、泳動粒子３２Ａは駆動基板１０側、即ち、背面Ｓ２側に、泳動粒子３２Ｂは対向基板２０側、即ち、表示面Ｓ１側に移動する。これにより、副画素２Ｒ，２Ｇ，２Ｂ、即ち、画素２における表示色は白色となる。また、図５Ｂに示したように、副画素２Ｒ，２Ｇ，２Ｂにそれぞれ設けられた画素電極１４Ａ，１４Ｂの両方に正（プラス）電位を印加すると、泳動粒子３２Ａは表示面Ｓ１側に、泳動粒子３２Ｂは背面Ｓ２側に移動する。これにより、副画素２Ｒ，２Ｇ，２Ｂ、即ち、画素２における表示色は黒色となる。更に、画素電極１４Ａ，１４Ｂの一方（例えば、画素電極１４Ａ）に負（マイナス）電位、他方（例えば、画素電極１４Ｂ）に正（プラス）電位を印加すると、泳動粒子４３Ａは画素電極１４Ａ側の駆動基板１０側に、泳動粒子３２Ｂは画素電極１４Ｂ側の駆動基板１０側に、それぞれ移動する（例えば、図１の緑色画素２Ｇ参照）。これにより、副画素２Ｒ，２Ｇ，２Ｂにおける表示色は多孔質層３３の色（赤色、緑色あるいは青色）となる。例えば、画素２の表示色を赤色にする場合には、図５Ｃに示したように、例えば、副画素２Ｒの画素電極１４Ａ，１４Ｂの一方（例えば、画素電極１４Ａ）に負（マイナス）電位、他方（例えば、画素電極１４Ｂ）に正電位を印加することにより、副画素２Ｒ中の泳動粒子４３Ａおよび泳動粒子３２Ｂは表示面Ｓ１側にそれぞれ移動し、副画素２Ｒにおける表示色は多孔質層３３Ｒの赤色となる。また、副画素２Ｇ，２Ｂの画素電極１４Ａ，１４Ｂには、例えば、正（プラス）電位を印加する。これにより、副画素２Ｇ，２Ｂ中の泳動粒子３２Ａは表示面Ｓ１側に、泳動粒子３２Ｂは背面Ｓ２側に移動し、副画素２Ｇ，２Ｂの表示色は黒色となる。これにより、画素２の表示色は赤色となる。
【００６５】
なお、詳細は後述するが、目的とする色（例えば、緑色）に着色された多孔質層３３Ｒ，３３Ｇ，３３Ｂを備えた副画素（例えば、副画素２Ｇ）以外の副画素（例えば、副画素２Ｒ，２Ｂ）はその表示色を黒色あるいは白色のいずれとしてもよい。
【００６６】
このように、異なる反射特性（白または黒）を有すると共に、異なる極性の電荷を有する２種類の泳動粒子３２（３２Ａ，３２Ｂ）と、各副画素２Ｒ，２Ｇ，２Ｂ内にそれぞれ独立して設けられた画素電極１４（１４Ａ，１４Ｂ）に印加される電位とを組み合わせることにより、副画素２Ｒ，２Ｇ，２Ｂはそれぞれ、白，黒およびＲＧＢのいずれかの色を電気的に選択することが可能となる。
【００６７】
（１−５．作用・効果）
前述したように、反射型の表示素子として電気泳動素子を用いた表示装置では、表示面側にカラーフィルタを設けることで多色表示を実現していた。このような表示装置では、各副画素の色（ＲＧＢ）を選択的に表示する場合には、他の副画素では黒表示とする。これは、反射型の表示層上にカラーフィルタを積層しているために、白表示では各副画素の色が反射され、黒表示では反射されないという原理に基づくものである。このため、ＲＧＢの３つの副画素によって構成された画素において、赤色，緑色あるいは青色の単色表示を行う場合、画素面積の２／３は黒表示となる。よって、この画素における所望の色の反射光は画素面積の１／３しか得られず、非常に暗く、輝度の低い状態となる。
【００６８】
この輝度の低い状態を改善するものとして、１画素をＲＧＢＷの４つの副画素によって構成する表示装置が提案されている。しかしながら、このような表示装置においても、赤色，緑色あるいは青色の単色表示を行う場合に得られる反射光は、画素面積の１／２であったため、十分な輝度を得ることは難しかった。また、表示面側にカラーフィルタを配置しているため、反射光の一部がカラーフィルタに吸収されてしまう。このカラーフィルタによる反射光の吸収も、輝度の低下の一因となっていた。
【００６９】
これに対して、本実施の形態の表示装置１では、表示素子として、黒色を呈する泳動粒子３２Ａおよび白色を呈する泳動粒子３２Ｂの２種類の泳動粒子３２と、赤色３３Ｒ，緑色３３Ｇおよび青色３３Ｂに着色された多孔質層３３とを含む電気泳動素子３０を用いるようにした。これにより、赤色，緑色あるいは青色の単色表示を行う場合、最大で画素面積の１００％の反射光を表示に用いることができる。また、表示面Ｓ１側における黒粒子（泳動粒子３２Ａ）および白粒子（泳動粒子３２Ｂ）の濃度を調整することで、階調表現が可能となる。
【００７０】
図６は、赤色画素２Ｒ，緑色画素２Ｇ，青色画素２Ｂからなる画素２において表示可能な色およびその階調表現をまとめたものである。表示装置１では、赤色，緑色あるいは青色の単色表示を行う場合、所望の色に対応する副画素では、泳動粒子３２Ａ，３２Ｂを背面Ｓ２側に移動させることによって所望の色、即ち、多孔質層３３の色が表示色となる。それ以外の２つの副画素では、一方の副画素で泳動粒子３２Ａを表示面Ｓ１側に、泳動粒子３２Ｂを背面Ｓ２側に移動させることによってその副画素を黒表示に、他方の副画素で泳動粒子３２Ａを背面Ｓ２側に、泳動粒子３２Ｂを表示面Ｓ１側に移動させることによってその副画素を白表示とする。これにより、図６のＮ欄にしめしたように、画素２では、画素面積の２／３の反射光が得られるようになり、上記カラーフィルタを用いた表示装置よりも高い輝度を得ることができる。
【００７１】
また、所望の色に対応する副画素以外の２つの副画素において、泳動粒子３２Ａを表示面Ｓ１側に、泳動粒子３２Ｂを背面Ｓ２側に移動させることによって、所望の色に対応する副画素以外の画素は黒表示となる。これにより、図６のＤ欄に示したように、画素２では、画素面積の１／３の反射光が得られるようになり、上記カラーフィルタを用いた表示装置と同程度の輝度の単色光を得ることができる。
【００７２】
更に、所望の色に対応する副画素以外の２つの副画素において、泳動粒子３２Ａを背面Ｓ２側に、泳動粒子３２Ｂを表示面Ｓ１側に移動させることによって、所望の色に対応する副画素以外の画素は白表示となる。即ち、図６のＬ欄に示したように、画素２では、画素面積の１００％の反射光が得られるようになり、より明るい単色光を得ることができる。
【００７３】
なお、図６の下の欄に示したように、３つの副画素のうち、２つの副画素の泳動粒子３２Ａを表示面Ｓ１側に、泳動粒子３２Ｂを背面Ｓ２側に移動させて黒表示に、残り１つの副画素の泳動粒子３２Ａを背面Ｓ２側に、泳動粒子３２Ｂを表示面Ｓ１側に移動させて白表示にすることによって濃い灰色を表示することができる。また、図示していないが、黒表示を行う副画素を１つ、色表示を行う副画素を２つとすることで、淡い灰色を表示することが可能となる。
【００７４】
このように、多孔質層３３を所望の色に着色すると共に、黒色を呈する泳動粒子３２Ａおよび白色を呈する泳動粒子３２Ｂを適宜移動させることにより、カラーフィルタを用いることなく、多色表示および複数の階調表現が可能となる。
【００７５】
以上のように、本実施の形態では、複数の色、例えば、各副画素２Ｒ，２Ｇ，２Ｂに対応する赤色，緑色，青色に着色された多孔質層３３と用いるようにしたので、カラーフィルタを用いることなく多色表示が可能となる。また、カラーフィルタを用いない分、輝度を向上させることが可能となる。
【００７６】
また、本実施の形態では、泳動粒子３２として、互いに異なる極性に帯電した黒色の泳動粒子３２Ａおよび白色の泳動粒子３２Ｂを用いると共に、各副画素２Ｒ，２Ｇ，２Ｂにそれぞれ独立した画素電極を複数（ここでは２つ）設けるようにした。これにより、より高い輝度を得ることができると共に、複数の階調表現が可能となる。
【００７７】
更に、本実施の形態では、多孔質層３３の着色を、印刷によって行うため無理分けが容易であり、安価に製造することができる。更にまた、カラーフィルタを用いないため、一般的な反射型の表示装置と比較して薄型にすることが可能となると共に、部材コストを低減することができる。
【００７８】
なお、本実施の形態では、泳動粒子３２として黒色の泳動粒子３２Ａおよび白色の泳動粒子３２Ｂの２種類を用いたが、例えば、黒色の泳動粒子１種類でも多色表示および階調表現は可能である。その場合には、例えば、画素２をＲＧＢＷの２つの副画素から構成し、白色画素には、白色に着色された多孔質層３３を配置するようにすればよい。白色の多孔質層３３は、繊維状構造体３３１の紡糸時に、酸化チタン等の上記泳動粒子３２の構成材料として挙げた材料を添加することで形成することができる。
【００７９】
＜２．適用例＞
次に、上記実施の形態の表示装置１の適用例について説明する。但し、以下で説明する電子機器の構成はあくまで一例であるため、その構成は適宜変更可能である。
【００８０】
（適用例１）
図７Ａ，図７Ｂは、電子ブックの外観構成を表している。この電子ブックは、例えば、表示部１１０および非表示部１２０と、操作部１３０とを備えている。なお、操作部１３０は、図７Ａに示したように非表示部１２０の前面に設けられていてもよいし、図７Ｂに示したように上面に設けられていてもよい。表示部１１０が表示装置１により構成される。なお、表示装置１は、図７Ａ，７Ｂに示した電子ブックと同様の構成を有するＰＤＡ（Personal Digital Assistants）等に搭載されてもよい。
【００８１】
（適用例２）
図８は、タブレットパーソナルコンピュータの外観を表したものである。このタブレットパーソナルコンピュータは、例えば、タッチパネル部２１０および筐体２２０を有しており、タッチパネル部２１０が上記表示装置１により構成されている。
【００８２】
また、上記実施の形態の表示装置１は、電子掲示板等に適用してもよい。
【００８３】
以上、実施形態を挙げて説明したが、本開示内容は実施形態で説明した態様に限定されず、種々の変形が可能である。例えば、上記実施の形態では、電気泳動素子３０として、絶縁性液体３１、電気泳動素子３２および多孔質層３３を備えた構成を例示したが、表示層３０の構成は、このような多孔質層３３を用いたものに限定されず、電気泳動現象を利用して画素ごとに光反射によるコントラスト形成が可能なものであればよい。
【００８４】
なお、本明細書中に記載された効果はあくまで例示であって限定されるものではなく、また、他の効果があってもよい。
【００８５】
なお、本開示は以下のような構成を取ることも可能である。
（１）泳動粒子と、繊維状構造体により形成されると共に、複数の色に着色された多孔質層とを備えた表示装置。
（２）前記泳動粒子は、互いに光反射特性の異なる複数種類からなる、前記（１）に記載の表示装置。
（３）前記複数種類の泳動粒子は、それぞれ帯電すると共に、互いに異なる電荷を有する、前記（１）または（２）に記載の表示装置。
（４）前記多孔質層は、赤色、緑色および青色に着色されている、前記（１）乃至（３）のいずれかに記載の表示装置。
（５）前記複数種類の泳動粒子は、黒色または白色を呈する、前記（１）乃至（４）のいずれかに記載の表示装置。
（６）それぞれ、少なくとも赤色画素、緑色画素および青色画素を含む複数の画素を有し、
前記画素には、それぞれ独立した複数の画素電極が設けられている、前記（１）乃至（５）のいずれかに記載の表示装置。
（７）前記画素に設けられた前記複数の画素電極の数は、前記泳動粒子の種類と同数である、前記（６）に記載の表示装置。
（８）赤色、緑色および青色に着色された前記多孔質層は、それぞれ対応する赤色画素、緑色画素および青色画素に配設されている、前記（６）または（７）に記載の表示装置。
（９）前記繊維状構造体は静電紡糸法により形成されている、前記（１）乃至（８）のいずれかに記載の表示装置。
（１０）前記泳動粒子および前記非泳動粒子は、有機顔料，無機顔料，染料，炭素材料，金属材料，金属酸化物，ガラスおよび高分子材料のうちの少なくともいずれか１つにより構成されている、前記（１）乃至（９）のいずれかに記載の表示装置。
（１１）前記繊維状構造体はアクリル樹脂からなる、前記（１）乃至（１０）のいずれかに記載の表示装置。
（１２）前記絶縁性液体中に、前記泳動粒子を分散させる分散剤を含有する、前記（１）乃至（１１）のいずれかに記載の表示装置。
（１３）泳動粒子を形成する工程と、多孔質層を構成する繊維状構造体を形成する工程と、前記繊維状構造体を複数の色に染色する工程とを含む表示装置の製造方法。
【符号の説明】
【００８６】
１…表示装置、２…画素、１０…駆動基板、１１…支持部材、１２…ＴＦＴ層、１４…画素電極、１５…接着層、１６…シール層、２０…対向基板、２１…支持部材、２２…対向電極、３０…電気泳動素子、３１…絶縁性液体、３２…泳動粒子、３３…多孔質層、４０…スペーサ。
【図１】
2016206412.tif 000003
【図２】
2016206412.tif 000004
【図３】
2016206412.tif 000005
【図４Ａ】
2016206412.tif 000006
【図４Ｂ】
2016206412.tif 000007
【図４Ｃ】
2016206412.tif 000008
【図４Ｄ】
2016206412.tif 000009
【図５Ａ】
2016206412.tif 000010
【図５Ｂ】
2016206412.tif 000011
【図５Ｃ】
2016206412.tif 000012
【図６】
2016206412.tif 000013
【図７Ａ】
2016206412.tif 000014
【図７Ｂ】
2016206412.tif 000015
【図８】
2016206412.tif 000016